(57)【要約】      （修正有）【課題】精密機器自体を操作する取り扱いの煩雑さを解消し、連結具の内側に手を潜り込ませてねじ部を操作することなく、精密機器を三脚に着脱でき、形状を簡素化することによりコンパクト化の図れた三脚用精密機器連結具及びそれを備える三脚を提供する。【解決手段】レーザー墨出し器の裏面に形成しためねじ部がねじ付けられるおねじ部を有し、三脚の昇降パイプの上部に墨出し器を装着させる三脚用精密機器装着具である。連結具は、昇降パイプと同軸に伸びる筒状部を有し、昇降パイプの上端に固定されるベースと、このベースの筒状部外周を時計回り又は反時計回りに空転可能な筒状のグリップ部を有し、グリップ部の上端におねじ部と共に墨出し器の裏面を保持する昇降台が形成された連結具本体と、この連結具本体との間のベースの筒状部外周に螺着されその時計回り又は反時計回りの回転により連結具本体と押圧可能に進退する環状ストッパとを備える。【選択図】図１
2008070320.tif 000002
【特許請求の範囲】
【請求項１】
精密機器の裏面に形成しためねじ部がねじ付けられるおねじ部を有し、三脚の支持パイプの上部に固定される三脚用精密機器連結具であって、
前記連結具は、前記支持パイプと同軸に伸びる筒状部を有し当該支持パイプの上端に固定されるベースと、
このベースの筒状部外周を時計回り又は反時計回りに空転可能な筒状のグリップ部を有し、当該グリップ部の上端に前記おねじ部と共に前記精密機器の裏面を支持する支持部が形成された連結具本体と、
この連結具本体との間の当該ベースの筒状部外周に螺着されその時計回り又は反時計回りの回転により前記連結具本体と押圧可能に進退する環状ストッパとを備えることを特徴とする三脚用精密機器連結具。
【請求項２】
前記ベースと前記環状ストッパとの間に、当該環状ストッパを前記連結具本体側に付勢する弾性部材を設けたことを特徴とする、請求項１に記載の三脚用精密機器連結具。
【請求項３】
請求項１又は２に記載の連結具を備えることを特徴とする三脚。
【発明の詳細な説明】
【技術分野】
【０００１】
本発明は、レーザー墨出し器に代表される精密機器を三脚に連結する連結具に関するものである。
【背景技術】
【０００２】
レーザー墨出し器等の精密機器には、三脚に取り付けて作業を行うものがある。このため、精密機器を三脚に取り付けるに当たり、三脚の昇降パイプの上端に、おねじ部を有する連結具を設け、この連結具のおねじ部に、レーザー墨出し器の裏面に形成しためねじ部をねじ付けるものがある（例えば、特許文献１参照。）。
【特許文献１】実用新案登録第３０７９８９７号公報
【０００３】
しかしながら、上記従来の連結具は、おねじ部と共に三脚に固定されてしまう構造であるため、精密機器を三脚に取り付けるに当たっては、精密機器自体を回転させることにより前記おねじ部にねじ付ける必要がある。この場合、精密機器を不安定な状態で手に持って回転させなければならず、誤って取り落とさないように、慎重な取り扱いが要求される。特に、レーザー墨出し器は一般的に２Kg前後の重量を有するため、相当な緊張感をもっての取り扱いが要求される。
【０００４】
これに対し、おねじ部のみが独立して回転することができる連結具も提案されている（例えば、特許文献２参照。）
【特許文献２】実用新案登録第３０１７６１４号公報
【発明の開示】
【発明が解決しようとする課題】
【０００５】
しかしながら、おねじ部のみを回転させることができる上記従来の連結具は、お碗状の側面の半分以上が開放した断面形状を有し、レーザー墨出し器のように、それ自体が脚部を有する機器の場合、その脚部の隙間から、当該お碗状の連結具の内側に手を潜り込ませておねじ部を回す必要がある。しかも、おねじ部を回転させる際には、自重に逆らって下から上にねじ上げる不自然な操作を余儀なくされる。
【０００６】
更に、上記従来連結具は、お碗状の内側下部におねじ部を通す構造であるため、当該連結具の側面にアームが突き出すという複雑な形状とならざるを得ない。
【０００７】
本発明の解決すべき課題は、精密機器自体を操作すると言った取り扱いの煩雑さを解消すると共に、連結具の内側に手を潜り込ませてねじ部を操作することなく、精密機器を三脚に着脱でき、更に、形状を簡素化することによりコンパクト化の図れた三脚用精密機器連結具及びそれを備える三脚を提供することにある。
【課題を解決するための手段】
【０００８】
本発明は、精密機器の裏面に形成しためねじ部がねじ付けられるおねじ部を有し、三脚の支持パイプの上部に固定される三脚用精密機器連結具であって、前記連結具は、前記支持パイプと同軸に伸びる筒状部を有し当該支持パイプの上端に固定されるベースと、このベースの筒状部外周を時計回り又は反時計回りに空転可能な筒状のグリップ部を有し、当該グリップ部の上端に前記おねじ部と共に前記精密機器の裏面を支持する支持部が形成された連結具本体と、この連結具本体との間の当該ベースの筒状部外周に螺着されその時計回り又は反時計回りの回転により前記連結具本体と押圧可能に進退する環状ストッパとを備えることを特徴とするものである。
【０００９】
本発明にあっては、前記ベースと前記環状ストッパとの間に、当該環状ストッパを前記連結具本体側に付勢する弾性部材を設けることが好ましい。
【００１０】
本発明は、前記ベースに、前記支持パイプに螺合するねじ部を設けることが好ましい。
【００１１】
本発明は、前記ベースの筒状部外周にその周方向に沿って周回する環状の凹部を形成し、前記連結具本体に、当該連結具本体を貫通してその先端が前記環状の凹部に摺動可能に当接する抜け止めピンを設けることが好ましい。
【００１２】
本発明は、前記環状の凹部の下端面を水平面とする一方、その上端面を傾斜面とすることが好ましい。
【００１３】
更に、本発明は、上述した構成の連結具を備えることを特徴とする三脚である。
【発明の効果】
【００１４】
本発明によれば、三脚に対して連結具が回動可能となるため、精密機器自体を操作すると言った取り扱いの煩雑さが解消され、安定した取り扱いが実現される。また、本発明によれば、連結具自体を回転させることにより精密機器の着脱が可能になるため、連結具の内側に手を潜り込ませてねじ部を操作するといった操作の煩雑さも解消され、更に、本発明によれば、連結具の内側に手を潜り込ませる必要の無い直線状の単純な形状であるため、連結具ひいては三脚全体のコンパクト化を図ることができる。
【発明を実施するための最良の形態】
【００１５】
以下、図面を参照して、本発明に従う連結具及び三脚を詳細に説明する。
【００１６】
図１は、本発明に従う三脚１を示す斜視図である。また、図２は、三脚１にレーザー墨出し器10を着脱する際の操作を説明する要部拡大図である。
【００１７】
三脚１は、中空の保護パイプ２を有し、この保護パイプ２の外側に設けた３つの脚頭2aそれぞれに、脚部３が揺動可能に取り付けられる。脚部３は、レバー操作によって締結・解放の切り替えが可能なロックレバー3aを介して伸縮可能な複数の脚部要素からなり、末端をなす脚部要素にはゴムカバー付きの石突き3bが設けられている。これら３つの脚部３は更に、保護パイプ２の下端にリンク2bを介して揺動可能に連結されている。
【００１８】
保護パイプ２の内側には、ハンドル４と図示せぬギア機構を介して連結される昇降パイプ５が設けられている。昇降パイプ５は、三脚１の支持パイプとしてなり、ハンドル４を時計回り又は反時計回りに回転させることにより、保護パイプ２から上昇させることができ、また、その逆回転により、保護パイプ２内に下降させることができる。
【００１９】
保護パイプ２の上端には、本発明に係る連結具６が固定されている。  連結具６は、レーザー墨出し器の裏面に形成しためねじ部がねじ付けられるおねじ部61を有し、昇降パイプ２の上部にレーザー墨出し器10を連結させるものである。
【００２０】
図３は、連結具６をその軸線Ｏを含む断面で示す断面図であり、図４〜７はそれぞれ、連結具６を構成する各パーツを一部断面で示す部品図である。
【００２１】
図３において、符号62は、昇降パイプ５と同軸Ｏに伸びる筒状部62aを有し当該昇降パイプ５の上端5eに固定されるベースである。
【００２２】
更に詳細には、図４に示すように、筒状部62aの下部にはフランジ部62bが一体に繋がり、このフランジ部62bの下端には昇降パイプ５に螺合するねじ部62cが設けられている。これにより、ベース62は、昇降パイプ５の上端5eに固定される。
【００２３】
また、ベース62は、図４に示すように、その筒状部62a外周に、その周方向に沿って周回する環状の凹部Ｄが形成されている。凹部Ｄは、その下端面を水平面D1とする一方、その上端面を傾斜面D2とする。
【００２４】
図３において、符号63は、ベース62の筒状部62a外周を時計回り又は反時計回りに空転可能な筒状のグリップ部63aを有し、当該グリップ部63aの上端におねじ部61と共にレーザー墨出し器の裏面を支持するフランジ形状の昇降台（支持部）63bが一体に形成された連結具本体である。
【００２５】
更に詳細には、図５に示すように、グリップ部63aは、軸線Ｏに沿って伸びる滑り止めのスプライン形状が施され、その下端に凹部63cを有する。この凹部63cの天面63fには、ベース62の筒状部62a上端62eの一部が回転可能に嵌合する。また、グリップ部63aの下部には、当該グリップ部63aを貫通する複数の横穴63dが形成されており、図３に示すように、当該横穴63dを通してその先端がベース62の凹部Ｄに摺動可能に当接する抜け止めピンＰが設けられている。
【００２６】
抜け止めピンＰは、その側面Psが凹部Ｄの下端側に位置する水平面D1に沿ってベース62周りを摺動可能に保持される一方、当該抜け止めピンＰの先端にはテーパ面P1が形成されており、このテーパ面P1が凹部Ｄの上端側に位置する傾斜面D2に沿ってベース62周りを摺動可能に当接する。これにより、連結具本体63は、ベース62から脱落することなく、当該ベース62周りを滑らかに回転することができる。
【００２７】
更に、連結具本体63は、凹部63cから軸線Ｏ方向に沿って昇降台63bに形成した窪み63gに貫通する貫通孔63hを有し、この貫通孔63hに形成しためねじ部63sにおねじ部61が螺合等により固定されている。
【００２８】
また、図２において、符号64は、連結具本体63との間の当該ベース62の外周に螺着されその時計回り又は反時計回りの回転により連結具本体63に当接可能に進退する中空の環状ストッパである。ベース62と環状ストッパ64との間には、当該環状ストッパ64を連結具本体63側に付勢する弾性部材であるコイルスプリング65（図７参照。）が設けられている。
【００２９】
更に詳細には、環状ストッパ64は、図６に示すように、その軸線Ｏ方向に沿って貫通する貫通孔Ａが形成されている。
【００３０】
貫通孔Ａは、ベース62の筒状部62aに形成したねじ部62sと螺合するねじ部64sを有する小径部A1を有する。これにより、環状ストッパ64は、ベース62の筒状部62aの周りを時計回り又は反時計回りに回転させることにより、軸線Ｏ方向に沿って進退する。これにより、環状ストッパ64をベース62周りに回転させて連結具本体63のグリップ部63aに向かって進行させ、当該環状ストッパ64をグリップ部63aの下端に押圧させれば、連結具本体63のベース62周りの空転を阻止できる。
【００３１】
貫通孔Ａはまた、開口部A1の下端にコイルスプリング65の上端が当接する環状の支持面64bを形成する中径部A2を有し、この中径部A2の下端にベース62のフランジ部62bの一部を摺動可能に包囲して当該フランジ部62bとの間に環状ストッパ63の軸線Ｏ方向への進退を許容する環状空間Ｒ（図３参照。）を形成する大径部A3とにより形成されている。
【００３２】
これにより、ベース62のフランジ部62bと中径部A2の支持面64bとの間にコイルスプリング65を配置すれば、環状ストッパ64には、当該ストッパ64の自重に抗してグリップ部63aに向かって押し上げる付勢力がコイルスプリング65によって働く。このため、連結具本体63のグリップ部63aに向かって進行させるときに、環状ストッパ64を持ち上げるように回転させる必要がなく、環状ストッパ64の回転操作を楽に行うことができる。また、連結具本体63のグリップ部63aから後退させるときは、環状ストッパ64を回転させ過ぎてもベース62から脱落することがない。
【００３３】
ここで、図２，３を参照して、本発明に従う三脚１に、レーザー墨出し器10を装着するときの操作方法を説明する。
【００３４】
まず、レーザー墨出し器10の裏面10fに形成しためねじ部10aを、三脚１の昇降パイプ５に固定された連結具６のおねじ部61に合わせたのち、一方の手でレーザー墨出し器10を押さえつつ、他方の手で連結具本体63のグリップ部63aを握って、連結具本体63をベース62周りに矢印C1の方向に時計回り又は反時計回りに空転させる。すると、連結具本体63のみが回転して、当該連結具本体63と一体に回転するおねじ部61がレーザー墨出し器10の裏面10fに形成しためねじ部10aに螺合する。これにより、レーザー墨出し器10は、連結具本体63と供回りしないように押えておくだけで三脚１に連結される。
【００３５】
但しこの状態のレーザー墨出し器10は、連結具６によって三脚１に連結されているものの、昇降パイプ５に対しては、連結具本体63と共に空転する可能性がある。
【００３６】
そこで、次に環状ストッパ64を摘んでベース62周りに矢印C2の方向に時計回り又は反時計回りに回転させる。すると、環状ストッパ64は、矢印Ｙの方向に沿って連結具本体63のグリップ部63aに向かって進行して当該グリップ部63aを押圧し、連結具本体63のベース62周りの空転を阻止する。これにより、レーザー墨出し器10は、昇降パイプ５に対して回転することなく装着することができる。
【００３７】
これに対し、レーザー墨出し器10を取り外すときには、環状ストッパ64を摘んで、装着時とは逆に、ベース62周りに反時計回り又は時計回りに矢印C2の方向に回転させる。すると、環状ストッパ64は、装着時とは逆に、矢印Ｙの方向に沿って連結具本体63から後退して連結具本体63の空転を許容させる。
【００３８】
次に、一方の手でレーザー墨出し器を押さえつつ、他方の手で連結具本体63のグリップ部63aを握って、連結具本体63を、装着時とは逆に、ベース62周りに反時計回り又は時計回りに矢印C1の方向に空転させれば、連結具本体63のみが回転して、連結具６のおねじ部61とレーザー墨出し器のめねじ部との螺合が緩む。これにより、レーザー墨出し器10は、昇降パイプ５に対して回転することなく取り外すことができる。
【００３９】
本発明によれば、三脚１に対して連結具６が回動可能となるため、レーザー墨出し器10自体を操作すると言った取り扱いの煩雑さが解消され、安定した取り扱いが実現される。また、本発明によれば、連結具６自体を回転させることによりレーザー墨出し器10の着脱が可能になるため、従来のように連結具６の内側に手を潜り込ませてねじ部を操作するといった操作の煩雑さも解消され、更に、本発明によれば、連結具６の内側に手を潜り込ませる必要の無い直線状の単純な形状であるため、連結具６ひいては三脚１全体のコンパクト化を図ることができる。
【００４０】
上述したところは、本発明の好適な形態をしたものであるが、特許請求の範囲において、種々の変更を加えることができる。例えば、本発明に係る支持パイプは、昇降パイプ５のように保護パイプ２に対して昇降可能であるが、かかる支持パイプは保護パイプ２に対して昇降することなく固定するものであってもよい。
【００４１】
また、グリップ部63aに施した滑り止めは、スプライン形状に限らず、格子形状のもの等、適宜変更することができる。更に、グリップ部63aは、連結具本体63を回転させ易いように、ある程度（例えば、60〜120mm）の長さを有することが望ましい。
【００４２】
また、図１の符号Ｌは、水準器であり、符号Ｈは、持ち運び用のキャリングハンドルであるが、こうしたオプションパーツの取捨選択は自由である。
【産業上の利用可能性】
【００４３】
本発明は、カメラやビデオ等の画像記録機器に代表される精密機器を装着可能な三脚に利用することができる。
【図面の簡単な説明】
【００４４】
【図１】本発明に従う三脚を示す斜視図である。
【図２】三脚にレーザー墨出し器を着脱する際の操作を説明する要部拡大図である。
【図３】本発明に従う連結具をその軸線を含む断面で示す断面図である。
【図４】本発明に従う連結具を構成するベースを向かって左側を断面で示す側面図である。
【図５】本発明に従う連結具を構成する連結具本体を向かって左側を断面で示す側面図である。
【図６】本発明に従う連結具を構成する環状ストッパを向かって右側を断面で示す側面図である。
【図７】本発明に従う連結具を構成するコイルスプリングを示す側面図である。
【符号の説明】
【００４５】
１    三脚
２    保護パイプ
３    脚部
４    ハンドル
５    昇降パイプ
６    連結具
61    おねじ部
62    ベース
62a   筒状部
62b   フランジ部
62c   ねじ部
63    おねじ部
63a   グリップ部
63b   昇降台（支持部）
63c   凹部
63d   横穴
63f   天面
63g   窪み
63h   貫通孔
64    環状ストッパ
65    コイルスプリング
Ａ    貫通孔
A1    小径部
A2    中径部
A3    大径部
【図１】
2008070320.tif 000003
【図２】
2008070320.tif 000004
【図３】
2008070320.tif 000005
【図４】
2008070320.tif 000006
【図５】
2008070320.tif 000007
【図６】
2008070320.tif 000008
【図７】
2008070320.tif 000009